(57)【要約】【課題】メールを受信した移動端末のユーザが、メールの返信が不可能な状態にあることを認識していない場合であっても、メール送信者における不安感、不快感の軽減を可能にする。【解決手段】移動端末１は、送信元からのメールを受信する送受信部１０と、送受信部１０がメールを受信したときに、ユーザ状態を示す情報を取得し、ユーザ状態を示す情報に基づいてメール返信の可否を判定する状態判定部１１と、状態判定部１１がメール返信不可と判定した場合に所定の内容のメールを作成するメール作成部１６と、メール作成部１６により作成されたメールを送信元に送信するメール送信手段とを備える。これにより、メールを受信したときにユーザの状態に基づいてメール返信の可否が判定され、メール返信不可と判定された場合に所定の内容のメールを送信元に対して自動的に返信することができる。【選択図】図１
2010182244.tif 000002
【特許請求の範囲】
【請求項１】
送信元からの受信メールを受信するメール受信手段と、
前記メール受信手段が前記受信メールを受信したときに、ユーザ状態を示す情報を取得し、該ユーザ状態を示す情報に基づいてメール返信の可否を判定する状態判定手段と、
前記状態判定手段がメール返信不可と判定した場合に所定の内容の送信メールを作成するメール作成手段と、
前記メール作成手段により作成された前記送信メールを前記送信元に送信するメール送信手段と
を備えることを特徴とする移動端末。
【請求項２】
前記状態判定手段は、前記ユーザ状態を示す情報として、前記移動端末の状態、及び前記移動端末のユーザのスケジュール情報のうちの少なくとも一方を取得する
ことを特徴とする請求項１に記載の移動端末。
【請求項３】
前記ユーザ状態を示す情報とメール文とを対応付けて記憶しているメール文記憶手段を備え、
前記メール作成手段は、前記メール文記憶手段において、前記状態判定手段により取得された前記ユーザ状態を示す情報に対応付けられている前記メール文を取得して、前記送信メールを作成する
ことを特徴とする請求項１または２に記載の移動端末。
【請求項４】
前記状態判定手段は、前記移動端末の状態として、アプリケーションの起動状態または通話状態を取得し、アプリケーションが起動中である場合または通話中である場合にメール返信不可と判定する
ことを特徴とする請求項２または３に記載の移動端末。
【請求項５】
前記移動端末の所在位置を示す位置情報を取得する位置情報取得手段を備え、
前記メール作成手段は、前記位置情報取得手段により取得された前記位置情報を前記送信メールに付加する
ことを特徴とする請求項１〜４のいずれか１項に記載の移動端末。
【請求項６】
移動端末におけるメール返信方法において、
送信元からの受信メールを受信するメール受信ステップと、
前記メール受信ステップにおいて前記受信メールを受信したときに、ユーザ状態を示す情報を取得し、該ユーザ状態を示す情報に基づいてメール返信の可否を判定する状態判定ステップと、
前記状態判定ステップにおいてメール返信不可と判定された場合に所定の内容の送信メールを作成するメール作成ステップと、
前記メール作成ステップにおいて作成された前記送信メールを前記送信元に送信するメール送信ステップと
を有することを特徴とするメール返信方法。
【請求項７】
送信元からの受信メールを受信するメール受信手段と、
前記メール受信手段が前記受信メールを受信したときに、前記受信メールの宛先である移動端末が通信可能な圏内にあるか否かを示す情報、及び前記移動端末のユーザ状態を示す情報のうちの少なくとも一方を取得し、取得した前記情報に基づいてメール返信の可否を判定する状態判定手段と、
前記状態判定手段がメール返信不可と判定した場合に所定の内容の返信メールを作成するメール作成手段と、
前記メール作成手段により作成された前記返信メールを前記送信元に送信するメール送信手段と
を備えることを特徴とするサーバ。
【発明の詳細な説明】
【技術分野】
【０００１】
本発明は、移動端末、メール返信方法及びサーバに関する。
【背景技術】
【０００２】
近年、携帯端末におけるメールの送受信によるコミュニケーションが盛んに行なわれており、メールの受信者に速やかな返信が求められるケースが増加している。速やかな返信がされないことによるメールの送信者の不安感、不快感を軽減するために、メールの受信があった場合に自動返信を行う携帯端末が知られている（例えば、特許文献１参照）。即ち、受信したメールに対する返信が不可能な状態になると考えられるときに、ユーザが携帯端末に対して所定のモード設定をすることにより、受信したメールに対して自動的に所定文面のメールを返信することができる。
【先行技術文献】
【特許文献】
【０００３】
【特許文献１】特開２００４−２０６６２７号公報
【発明の概要】
【発明が解決しようとする課題】
【０００４】
しかしながら、メールの返信を行えない状況になっていることを携帯端末のユーザが認識していない場合がある。その場合には、携帯端末に対してモード設定等の所定の操作を行うことはできず、メールの返信が行われないので、メールの送信者は不安感、不快感を抱くこととなる。
【０００５】
そこで、本発明は、かかる問題点に鑑みてなされたものであり、メールを受信した移動端末のユーザが、メールの返信が不可能な状態にあることを認識していない場合であっても、メール送信者の不安感、不快感を軽減可能な移動端末、メール返信方法及びサーバを提供することを目的とする。
【課題を解決するための手段】
【０００６】
上記課題を解決するために、本発明の移動端末は、送信元からの受信メールを受信するメール受信手段と、メール受信手段が受信メールを受信したときに、ユーザ状態を示す情報を取得し、ユーザ状態を示す情報に基づいてメール返信の可否を判定する状態判定手段と、状態判定手段がメール返信不可と判定した場合に所定の内容の返信メールを作成するメール作成手段と、メール作成手段により作成された返信メールを送信元に送信するメール送信手段とを備えることを特徴とする。
【０００７】
また、上記課題を解決するために、本発明のメール返信方法は、移動端末におけるメール返信方法において、送信元からの受信メールを受信するメール受信ステップと、メール受信ステップにおいて受信メールを受信したときに、ユーザ状態を示す情報を取得し、ユーザ状態を示す情報に基づいてメール返信の可否を判定する状態判定ステップと、状態判定ステップにおいてメール返信不可と判定された場合に所定の内容の返信メールを作成するメール作成ステップと、メール作成ステップにおいて作成された返信メールを送信元に送信するメール送信ステップとを有することを特徴とする。
【０００８】
本発明の移動端末及びメール返信方法では、メールを受信したときにユーザの状態に基づいてメール返信の可否が判定され、メール返信不可と判定された場合に所定の内容のメールを送信元に対して自動的に返信することができる。従って、移動端末のユーザが、メールの返信が不可能な状態にあることを認識していない場合であっても、メール送信者の不安感、不快感を軽減することが可能となる。
【０００９】
また、本発明の移動端末では、状態判定手段は、ユーザ状態を示す情報として、移動端末の状態及び移動端末のユーザのスケジュール情報のうちの少なくとも一方を取得することを特徴とする。この場合には、ユーザがメール返信が可能な状態にあるか否かを適切に判定することが可能となる。
【００１０】
また、本発明の移動端末は、ユーザ状態を示す情報とメール文とを対応付けて記憶しているメール文記憶手段を備え、メール作成手段は、メール文記憶手段において、状態判定手段により取得されたユーザ状態を示す情報に対応付けられているメール文を取得して、返信メールを作成することを特徴とする。この場合には、予めユーザ状態に対応したメール文が記憶されているので、ユーザの状態に応じた適切な内容のメールを返信することが可能となる。
【００１１】
また、本発明の移動端末では、状態判定手段は、移動端末の状態として、アプリケーションの起動状態または通話状態を取得し、アプリケーションが起動中である場合または通話中である場合にメール返信不可と判定することを特徴とする。移動端末において、アプリケーションが起動中である場合または通話中である場合には、メール作成操作及びメール返信操作を行うことはできない。従って、この場合には、メール返信不可の判定がより適切に行われる。
【００１２】
また、本発明の移動端末は、移動端末の所在位置を示す位置情報を取得する位置情報取得手段を備え、メール作成手段は、位置情報取得手段により取得された位置情報を返信メールに付加することを特徴とする。この場合には、ユーザの所在位置といった具体的な情報をメール送信者に提供することができるので、メール送信者の不安感、不快感をより一層軽減することができる。
【００１３】
さらに、上記課題を解決するために、本発明のサーバは、送信元からの受信メールを受信するメール受信手段と、メール受信手段が受信メールを受信したときに、受信メールの宛先である移動端末が通信可能な圏内にあるか否かを示す情報、及び移動端末のユーザ状態を示す情報のうちの少なくとも一方を取得し、取得した情報に基づいてメール返信の可否を判定する状態判定手段と、状態判定手段がメール返信不可と判定した場合に所定の内容の返信メールを作成するメール作成手段と、メール作成手段により作成された返信メールを送信元に送信するメール送信手段とを備えることを特徴とする。
【００１４】
本発明のサーバでは、受信メールを受信したときに、受信メールの宛先の移動端末が通信可能な圏内にあるか否かといった状態や、移動端末のユーザの状態に基づいてメール返信の可否が判定され、メール返信不可と判定された場合に所定の内容の返信メールを送信元に対して自動的に返信することができる。従って、移動端末のユーザが、メールの返信が不可能な状態にあることを認識していない場合であっても、メール送信者の不安感、不快感を軽減することが可能となる。
【発明の効果】
【００１５】
本発明の移動端末、メール返信方法及びサーバによれば、メールを受信したときにユーザの状態に基づいてメール返信の可否が判定され、メール返信不可と判定された場合に所定の内容のメールを送信元に対して自動的に返信することができる。従って、移動端末のユーザが、メールの返信が不可能な状態にあることを認識していない場合であっても、メール送信者の不安感、不快感を軽減することが可能となる。
【図面の簡単な説明】
【００１６】
【図１】移動端末の機能ブロック図である。
【図２】移動端末のハードブロック図である。
【図３】スケジュール保持部の構成の一例を示す図である。
【図４】メール文記憶部の構成の一例を示す図である。
【図５】移動端末が実行するメール返信方法の処理内容を示すフローチャートである。
【図６】サーバの機能ブロック図である。
【発明を実施するための形態】
【００１７】
本発明の実施形態に係る移動端末について図面を参照して説明する。なお、可能な場合には、同一の部分には同一の符号を付して、重複する説明を省略する。
【００１８】
図１は、本実施形態に係る移動端末１の機能的構成を示す機能ブロック図である。移動端末１は、ネットワーク２を介して他の装置とメールの送受信が可能であり、例えば携帯電話等の装置により構成される。移動端末１は、送受信部１０（メール受信手段）、状態判定部１１（状態判定手段）、端末状態保持部１２、スケジュール保持部１３、位置情報取得部１４（位置情報取得手段）、移動状態判定部１５、メール作成部１６（メール作成手段）、メール文記憶部１７（メール文記憶手段）及びメール送信部１８（メール送信手段）を有する。
【００１９】
また、図２は、移動端末１のハードブロック図である。移動端末１は、物理的には、図２に示すように、ＣＰＵ１０１、主記憶装置であるＲＡＭ１０２及びＲＯＭ１０３、無線通信網を介してデータの送受信を行なうためのデバイスである通信モジュール１０４、ハードディスク、フラッシュメモリ等の補助記憶装置１０５、入力デバイスであるキーボード等の入力装置１０６、ディスプレイ等の出力装置１０７等を含むコンピュータシステムとして構成されている。図１に示した各機能は、図２に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。以下、図１を用いて、移動端末１の各機能要素について説明する。
【００２０】
送受信部１０は、ネットワーク２を介して送信元の装置から送信されるメールを受信する部分である。送受信部１０は、メールを受信すると、その旨を状態判定部１１に通知する。
【００２１】
状態判定部１１は、送受信部１０からメールを受信した旨の通知を受けると、端末状態保持部１２、スケジュール保持部１３、位置情報取得部１４及び移動状態判定部１５等より、移動端末１のユーザ状態を示す情報を取得する。ユーザ状態を示す情報は、当該移動端末１のユーザが受信したメールに対して返信することが可能であるか否かを判断するために用いられる情報である。状態判定部１１は、ユーザ状態を示す情報に基づいて、受信したメールに対するメール返信の可否を判定し、判定の結果及びユーザ状態を示す情報をメール作成部１６に送出する。メール返信の可否の判定の詳細については後述する。
【００２２】
端末状態保持部１２は、移動端末１の状態を保持している部分である。端末状態保持部１２に保持されている移動端末１の状態は、状態判定部１１に取得されて、ユーザ状態を示す情報として用いられる。端末状態保持部１２は、移動端末１の状態として、例えばアプリケーションの起動状態や通話状態等を保持している。
【００２３】
状態判定部１１は、端末状態保持部１２から取得した情報に基づいて、移動端末１においてアプリケーションが起動中である、または通話中であると判定した場合には、メールの作成やメール返信のための操作が不可能であるので、メール返信不可と判定する。
【００２４】
スケジュール保持部１３は、移動端末１のユーザのスケジュール情報を保持している部分である。スケジュール保持部１３に保持されているスケジュール情報は、状態判定部１１に取得されてユーザ状態を示す情報として用いられる。図３は、スケジュール保持部１３の構成の一例を示す図である。図３に示すように、スケジュール情報として開始時刻、終了時刻及び予定が各々対応づけて記憶されている。スケジュール保持部１３に記憶されているスケジュール情報は、例えばユーザにより予め登録されたものである。
【００２５】
状態判定部１１は、メールを受信した時にスケジュール保持部１３を参照し、メールを受信した時刻において何らかのスケジュール情報が登録されている場合には、メール返信不可と判定する。なお、本実施形態では、スケジュール保持部１３は移動端末１内に構成されることとしているが、ネットワーク２を介して通信可能な他の装置に構成されることとしてもよい。
【００２６】
位置情報取得部１４は、移動端末１の所在位置に関する位置情報を取得する部分であり、例えばＧＰＳ装置により構成される。この場合には、位置情報は、緯度及び経度の情報として取得される。また、位置情報取得部１４は、地図情報も備えており、緯度及び経度の情報に基づいて、移動端末１がどのような施設内に所在するのかといった情報を取得することができる。移動端末１が所在する施設に関する情報は、状態判定部１１に取得されて、ユーザ状態を示す情報として用いられる。なお、位置情報取得部１４は、移動端末１が属する基地局の情報を位置情報として取得しても良い。
【００２７】
状態判定部１１は、例えば施設名称と当該施設内における端末使用可否の属性情報とを対応付けて記憶しており、位置情報取得部１４から取得した施設に関する情報に基づいて、当該施設内における端末使用可否の属性情報を抽出する。当該施設内での端末使用が禁止されている場合には、状態判定部１１は、メール返信不可と判定する。
【００２８】
移動状態判定部１５は、移動端末１の移動速度や加速度といった移動状態を判定する部分であり、例えば加速度センサや地磁気センサといった装置により構成される。移動状態判定部１５により判定された移動状態に関する情報は、状態判定部１１に取得されて、ユーザ状態を示す情報として用いられる。
【００２９】
状態判定部１１は、移動状態判定部１５から取得した移動状態に関する情報に基づいて、例えば移動端末１が所定速度以上の速度で移動していると判定した場合には、移動端末１のユーザは移動中であるので、メール返信不可と判断する。
【００３０】
メール作成部１６は、状態判定部１１がメール返信不可と判定した場合に、受信したメールの送信元に返信するための所定内容の返信メールを作成する部分である。ここで作成される返信メールのメール文は、例えば「返信不可です」といった単純なものでもよいが、より詳細な情報が含まれていることが好ましい。メール作成部１６は、作成した返信メールをメール送信部１８に送出する。
【００３１】
メール文記憶部１７は、ユーザ状態を示す情報とメール文とを対応付けて記憶している記憶手段である。メール作成部１６は、メール文記憶部１７において、状態判定部１１から取得したユーザ状態を示す情報に対応付けられているメール文を取得して、返信メールを作成する。図４は、メール文記憶部１７の構成の一例を示す図である。状態判定部１１から取得したユーザ状態が例えば「通話中」である場合には、メール作成部１６は、メール文記憶部１７において、状態「通話中」に対応付けられているメール文「ただいま、通話中です」を取得する。
【００３２】
また、状態判定部１１がメールを受信した時刻においてスケジュール情報の登録があると判定し、状態判定部１１がスケジュール保持部１３から取得したスケジュール情報の予定が「会議」である場合には、メール作成部１６は、メール文記憶部１７において、状態「スケジュール登録あり」に対応付けられているメール文「ただいま、ＯＯＯ中です」を取得し、メール文中の「ＯＯＯ」に、スケジュール情報の予定である「会議」を当てはめて、「ただいま、会議中です」といったメール文を作成する。また、メール作成部１６は、位置情報取得部１４により取得された位置情報を、状態判定部１１を介して取得して、メール文に付加することができる。
【００３３】
メール送信部１８は、メール作成部１６から取得した返信メールを、送受信部１０を介して、受信したメールの送信元に返信する。
【００３４】
続いて、移動端末１が、受信したメールに対して返信メールを返信する処理手順を説明する。図５は、移動端末１が実行するメール返信方法の処理内容を示すフローチャートである。
【００３５】
まず、送受信部１０は、ネットワーク２を介して送信元の装置から送信されるメールを受信し（Ｓ１）、メールを受信した旨を状態判定部１１に通知する。
【００３６】
ステップＳ２において、状態判定部１１は、移動端末１のユーザ状態を示す情報を取得し、受信したメールに対するメール返信の可否を判定する（Ｓ２）。ここで、ユーザ状態を示す情報は、端末状態保持部１２、スケジュール保持部１３、位置情報取得部１４及び移動状態判定部１５等より取得される。
【００３７】
なお、状態判定部１１は、ユーザ状態を示す情報の取得（Ｓ２）に先立って、返信メールの自動返信を行うか否かの設定を参照して、自動返信を行うか否かを判定することとしてもよい。メールの自動返信を行うか否かの設定は、例えば端末状態保持部１２に保持されていることとすることができる。例えば、ユーザがメールの自動返信を望まない場合には、端末状態保持部１２にその旨の設定を行うことにより、移動端末１がステップＳ２移行に示す自動返信の処理を行わないようにすることができる。
【００３８】
メール返信が可能である場合には、処理手順は終了となり、メール返信が不可能である場合には、処理手順はステップＳ４に進められる（Ｓ３）。
【００３９】
ステップＳ４において、メール作成部１６は、受信したメールの送信元に返信するための所定内容の返信メールを作成し、作成した返信メールをメール送信部１８に送出する。メールの作成は、メール文記憶部１７を参照して、状態判定部１１より取得したユーザ状態を示す情報に基づいてメール文を抽出することにより行われる。
【００４０】
メール送信部１８は、メール作成部１６から取得した返信メールを、送受信部１０を介して、受信したメールの送信元に返信する（Ｓ５）。こうして、移動端末１におけるメール返信方法の処理が終了する。
【００４１】
次に、本発明の実施形態に係るサーバについて図面を参照して説明する。図６は、本実施形態に係るサーバ３の機能的構成を示す機能ブロック図である。サーバ３は、送信元の装置（図示しない）から送信されたメールを移動端末１に送信するための装置であり、例えば、移動端末１の通信網における基地局に設けられる。サーバ３は、送受信部３０（サーバのメール受信手段）、状態判定部３１（サーバの状態判定手段）、端末状態保持部３２、メール作成部３６（サーバのメール作成手段）、メール文記憶部３７及びメール送信部３８（サーバのメール送信手段）を有する。サーバ３は、図２に示した移動端末１と同様の物理的構成を備える。以下、図６を用いて、サーバ３の各機能要素について説明する。
【００４２】
送受信部３０は、ネットワーク２を介して送信元の装置から送信されるメールを受信する部分である。送受信部３０は、メールを受信すると、その旨を状態判定部３１に通知する。
【００４３】
状態判定部３１は、送受信部３０からメールを受信した旨の通知を受けると、端末状態保持部３２より、受信したメールの宛先である移動端末１が通信可能な圏内にあるか否かを示す情報、及び移動端末１のユーザ状態を示す情報のうちの少なくとも一方を取得する。ここで、ユーザ状態を示す情報は、当該移動端末１のユーザが受信したメールに対して返信することが可能であるか否かを判断するために用いられる情報である。状態判定部３１は、移動端末１が通信可能な圏内にあるか否かを示す情報及びユーザ状態を示す情報のうちの少なくとも一方に基づいて、受信したメールに対するメール返信の可否を判定し、判定の結果をメール作成部３６に送出する。
【００４４】
端末状態保持部３２は、移動端末１が通信可能な圏内にあるか否かを示す情報、及び移動端末１のユーザ状態を示す情報のうちの少なくとも一方を保持している部分である。端末状態保持部３２に保持されている移動端末１の情報は、状態判定部３１に取得されて、メール返信可否の判定に用いられる。移動端末１の状態として、例えば移動端末１の通話状態等が含まれる。
【００４５】
状態判定部３１は、端末状態保持部３２から取得した情報に基づいて、移動端末１が通信可能な圏内にない、または通話中であると判定した場合には、メール返信が不可能であるので、メール返信不可と判定する。
【００４６】
メール作成部３６は、状態判定部３１がメール返信不可と判定した場合に、受信したメールの送信元に返信するための所定内容の返信メールを作成する部分である。
【００４７】
メール文記憶部３７は、移動端末１の状態に関する情報とメール文とを対応付けて記憶している記憶手段である。メール作成部３６は、メール文記憶部３７において、移動端末１の状態を示す情報に対応付けられているメール文を取得して、返信メールを作成する。移動端末１が通信可能な圏内にない場合には、例えば「圏外です」といったメール文の返信メールが作成される。そして、メール作成部３６は、作成した返信メールをメール送信部３８に送出する。また、メール作成部３６は、移動端末１の所在位置の情報を保持している機能部（図示せず）または他の装置（図示せず）から移動端末１の所在位置の情報を取得して、メール文に付加することができる。
【００４８】
メール送信部３８は、メール作成部３６から取得した返信メールを、送受信部３０を介して、受信したメールの送信元に返信する。
【００４９】
続いて、以上説明した本実施形態の移動端末１の作用効果について説明する。本実施形態の移動端末１では、メールを受信したときにユーザの状態に基づいてメール返信の可否が判定され、メール返信不可と判定された場合に所定の内容のメールを送信元に対して自動的に返信することができる。従って、移動端末１のユーザが、メールの返信が不可能な状態にあることを認識していない場合であっても、メール送信者の不安感、不快感を軽減することが可能となる。
【００５０】
また、状態判定部１１は、ユーザ状態を示す情報として、端末状態保持部１２から取得した移動端末１の状態、又はスケジュール保持部１３から取得したユーザのスケジュール情報等を用いてメール返信の可否を判定するので、ユーザがメール返信が可能な状態にあるか否かを適切に判定することが可能となる。
【００５１】
また、メール作成部１６は、ユーザ状態を示す情報とメール文とを対応付けて記憶しているメール文記憶部１７を参照して、状態判定部１１から取得したユーザ状態を示す情報に基づいてメールを作成するので、ユーザの状態に応じた適切な内容のメールを返信することが可能となる。
【００５２】
また、状態判定部１１は、移動端末１の状態として、アプリケーションの起動状態または通話状態を取得し、アプリケーションが起動中である場合または通話中である場合にメール返信不可と判定するので、メール返信不可の判定がより適切に行われる。
【００５３】
また、メール作成部１６は、位置情報取得部１４から取得した、移動端末１の位置情報をメールに付加することができるので、ユーザの所在位置といった具体的な情報をメール送信者に提供することができ、メール送信者の不安感、不快感をより一層軽減することができる。
【００５４】
また、以上説明した本実施形態のサーバ３の作用効果について説明する。サーバ３では、受信メールを受信したときに、受信メールの宛先の移動端末が通信可能な圏内にあるか否かといった状態や、移動端末１のユーザの状態に基づいてメール返信の可否が判定され、メール返信不可と判定された場合に所定の内容の返信メールを送信元に対して自動的に返信することができる。従って、移動端末１のユーザが、メールの返信が不可能な状態にあることを認識していない場合であっても、メール送信者の不安感、不快感を軽減することが可能となる。
【符号の説明】
【００５５】
１…移動端末、２…ネットワーク、３…サーバ、１０…送受信部、１１…状態判定部、１２…端末状態保持部、１３…スケジュール保持部、１４…位置情報取得部、１５…移動状態判定部、１６…メール作成部、１７…メール文記憶部、１８…メール送信部、３０…送受信部、３１…状態判定部、３２…端末状態保持部、３６…メール作成部、３７…メール文記憶部、３８…メール送信部。
【図１】
2010182244.tif 000003
【図２】
2010182244.tif 000004
【図３】
2010182244.tif 000005
【図４】
2010182244.tif 000006
【図５】
2010182244.tif 000007
【図６】
2010182244.tif 000008